(57)【要約】【課題】遊技機の使用状態において使用者が快適な状態で腕を載置できるとともに、遊技機の非使用状態において手置き台との干渉無く各種の作業を手間をかけずに行うことができる手置き台を提供すること。【解決手段】遊技機２の下方に於いて後方に向けて突設された膳板３に設けられる手置き台１であって、使用者の腕Ｕを載置可能な載置面７ｎを備えた載置部７と、載置部７が設けられた本体部６と、膳板３に対し固定され本体部６を支持する支持部５と、から構成されており、本体部６は、遊技機の使用状態において載置面７ｎに腕Ｕを載置可能な使用位置と、遊技機２の非使用状態における非使用位置と、の間を移動可能に支持部６に支持され、載置部７は、使用位置の本体部６に対し、載置面７ｎの上下位置を調整可能で且つ前後位置を調整可能に設けられている。【選択図】図４
2011194185.tif 000002
【特許請求の範囲】
【請求項１】
遊技機の下方に於いて後方に向けて突設された膳板に設けられる手置き台であって、
使用者の腕を載置可能な載置面を備えた載置部と、該載置部が設けられた本体部と、前記膳板に対し固定され前記本体部を支持する支持部と、から構成されており、
前記本体部は、前記遊技機の使用状態において前記載置面に腕を載置可能な使用位置と、前記遊技機の非使用状態における非使用位置と、の間を移動可能に前記支持部に支持され、
前記載置部は、前記使用位置の前記本体部に対し、前記載置面の上下位置を調整可能で且つ前後位置を調整可能に設けられていることを特徴とする手置き台。
【請求項２】
前記本体部は、前記使用位置と前記非使用位置との間を回動可能に前記支持部に枢支されていることを特徴とする請求項１に記載の手置き台。
【請求項３】
前記載置部は、前記本体部に対し自在に回動可能に枢支されていることを特徴とする請求項２に記載の手置き台。
【請求項４】
前記載置部は、前記本体部に対し螺挿により回動することで前記載置面の上下位置が調整されることを特徴とする請求項３に記載の手置き台。
【請求項５】
前記載置部は、前記使用位置において後方側に調整した前後位置が、前記非使用位置において前記膳板との当接を回避する当接回避位置であることを特徴とする請求項１ないし４のいずれかに記載の手置き台。
【請求項６】
前記本体部及び前記支持部に、前記本体部を前記使用位置若しくは前記非使用位置に保持する一対の係合部が設けられていることを特徴とする請求項１ないし５のいずれかに記載の手置き台。
【請求項７】
前記本体部と前記支持部とは、弾性体を介して互いに対し付勢されており、前記一対の係合部は、前記弾性体の弾性力により、前記本体部の前記使用位置若しくは前記非使用位置において互いに係合することを特徴とする請求項６に記載の手置き台。
【発明の詳細な説明】
【技術分野】
【０００１】  本発明は、遊技機の下方に於いて後方に向けて突設された膳板に設けられる手置き台に関する。
【背景技術】
【０００２】  従来の手置き台には、遊技機の膳板に対し固定に取り付けるとともに、使用者の腕を載置する載置面を上下方向若しくは前後方向に移動可能に構成したものがある（例えば、特許文献１参照）。
【先行技術文献】
【特許文献】
【０００３】
【特許文献１】特開２００３−２６５８５０号公報（第４頁、第２図参照）
【発明の概要】
【発明が解決しようとする課題】
【０００４】  しかしながら、上記特許文献１に記載の手置き台にあっては、遊技機の非使用状態における作業として、例えば、定期点検等により遊技機の前面を手前側に開放する開放作業の際に、膳板に固定した手置き台と干渉してしまい十分な開放状態が得られないため、遊技機の前面を開放する度毎に、手置き台を膳板から一時取外し再度取り付けるという煩雑な手間を要する問題があった。また、手置き台を、開放状態の遊技機前面と干渉しない位置に予め取り付けると、使用者の快適な腕の載置位置を得ることができないという問題があった。同様に、遊技機の非使用状態における作業として、例えば遊技機本体の交換作業や遊技機前面側の清掃作業などの際にも、手置き台との干渉を避けるため手置き台の一時取外し再度取付けを要していた。【０００５】  本発明は、このような問題点に着目してなされたもので、遊技機の使用状態において使用者が快適な状態で腕を載置できるとともに、遊技機の非使用状態において手置き台との干渉無く各種の作業を手間をかけずに行うことができる手置き台を提供することを目的とする。
【課題を解決するための手段】
【０００６】  前記課題を解決するために、本発明の手置き台は、
遊技機の下方に於いて後方に向けて突設された膳板に設けられる手置き台であって、
使用者の腕を載置可能な載置面を備えた載置部と、該載置部が設けられた本体部と、前記膳板に対し固定され前記本体部を支持する支持部と、から構成されており、
前記本体部は、前記遊技機の使用状態において前記載置面に腕を載置可能な使用位置と、前記遊技機の非使用状態における非使用位置と、の間を移動可能に前記支持部に支持され、
前記載置部は、前記使用位置の前記本体部に対し、前記載置面の上下位置を調整可能で且つ前後位置を調整可能に設けられていることを特徴としている。
この特徴によれば、遊技機使用者の腕を載置する載置部を、使用者の好む上下位置且つ前後位置の使用位置に適宜調整することで、使用者が各々快適な状態で遊技機を使用できるばかりか、膳板に固定された支持部を取外すことなく本体部を非使用位置に移動するだけで、遊技機の非使用状態において手置き台との干渉無く各種の作業を手間をかけずに行うことができる。【０００７】  本発明手置き台は、
前記本体部は、前記使用位置と前記非使用位置との間を回動可能に前記支持部に枢支されていることを特徴としている。
この特徴によれば、本体部が支持部に対し回動可能に枢支されるという簡易な構造で、遊技機の非使用状態における非使用位置に簡単に移動できる。【０００８】  本発明の手置き台は、
前記載置部は、前記本体部に対し自在に回動可能に枢支されていることを特徴としている。
この特徴によれば、本体部を非使用位置に回動する際に、載置部が膳板と当接することがあっても、載置部が本体部に対し自在に回動することで、載置部と膳板との干渉無く本体部を非使用位置まで回動できる。【０００９】  本発明の手置き台は、
前記載置部は、前記本体部に対し螺挿により回動することで前記載置面の上下位置が調整されることを特徴としている。
この特徴によれば、載置部を本体部に対し螺挿により回動することで、載置面の上下位置を無段階に調整できる。【００１０】  本発明の手置き台は、
前記載置部は、前記使用位置において後方側に調整した前後位置が、前記非使用位置において前記膳板との当接を回避する当接回避位置であることを特徴としている。
この特徴によれば、載置部の前後位置を後方側に調整するだけで、後方に突設された膳板と干渉すること無く、本体部を非使用位置に回動できる。【００１１】  本発明の手置き台は、
前記本体部及び前記支持部に、前記本体部を前記使用位置若しくは前記非使用位置に保持する一対の係合部が設けられていることを特徴としている。
この特徴によれば、本体部及び支持部に設けられた一対の係合部により、本体部を使用位置若しくは非使用位置に保持することで、所定位置の本体部が動いてしまうことがない。【００１２】  本発明の手置き台は、
前記本体部と前記支持部とは、弾性体を介して互いに対し付勢されており、前記一対の係合部は、前記弾性体の弾性力により、前記本体部の前記使用位置若しくは前記非使用位置において互いに係合する
この特徴によれば、一対の係合部が、弾性体の弾性力を利用することで係合状態を恒常的に維持できる。
【図面の簡単な説明】
【００１３】
【図１】（ａ）は、本発明の手置き台の側面図であり、（ｂ）は、載置部を上動させるとともに後方側に移動させた状態の手置き台の側面図である。
【図２】本体部及び支持部の縦側断面図である。
【図３】（ａ）は、載置部の縦側断面図であり、（ｂ）は、図３（ａ）におけるＡ−Ａ断面図である。
【図４】（ａ）は、使用位置における手置き台の正面図であり、（ｂ）は、非使用位置における手置き台の正面図である。
【図５】非使用位置における手置き台の平面図である。
【図６】載置部が自由回動する状況を示す側面図である。
【図７】（ａ）は、変形例における載置部を示す平面図であり、（ｂ）は、載置部を示す縦側断面図である。
【発明を実施するための形態】
【００１４】  本発明に係る手置き台を実施するための形態を実施例に基づいて以下に説明する。
【実施例】
【００１５】  本発明の実施例を図面に基づいて説明する。以下、図１（ａ）、図１（ｂ）、図２、図３（ａ）における紙面左側を、遊技機、膳板及び手置き台の後方側とし、同様に上記図の紙面右側を、遊技機、膳板及び手置き台の前方側として説明する。【００１６】  図１の符号１は、本発明の適用された手置き台である。この手置き台１は、図１（ａ）に示されるように、遊技場内の本発明における遊技機としてのパチンコ遊技機２の下方に於いて後方に向かって突設される膳板３に取り付けられている。手置き台１は、パチンコ遊技機２の使用状態において、ハンドル４を握る使用者の腕Ｕを後述する載置部７の載置面７ｎに載置することによって、使用者の腕Ｕにかかる負荷を軽減している。また、パチンコ遊技機２の後端部は、パチンコ遊技機２の側端部に設けられた図示しないヒンジを中心に開閉される扉体２ａに構成されており、パチンコ遊技機２の非使用状態における作業の一例として、遊技場のスタッフ等がこの扉体２ａの開放作業を行なうことでパチンコ遊技機２のメンテナンスを行うようになっている（図５参照）。尚、本実施例では、遊技機の非使用状態における各種作業の一例として、遊技機前面の扉体の開放作業を示しているが、遊技機の非使用状態における作業は、例えば遊技機本体の交換作業や、遊技機前面側の清掃作業等であっても構わない。【００１７】  図１（ａ）及び図１（ｂ）に示されるように、手置き台１は、膳板３に対し固定に取り付けられる支持部５と、支持部５の後方に配置される本体部６と、本体部６の上部に配置され使用者の腕Ｕを載置するための載置部７と、から構成されている。【００１８】  図２及び図４（ａ）に示されるように、支持部５の上端部と下端部とには、正面側に向けて膳板３を上下方向から挟持するための挟持片５ａ，５ｂが延設されている。また、支持部５の左右両側部には、下方から上方に向けて調整ネジ５ｃ，５ｃが螺着されており、これら調整ネジ５ｃ，５ｃに挟持片５ｂの後端部が螺挿されている。【００１９】  このため支持部５は、これら調整ネジ５ｃ，５ｃの下端部に形成されたつまみ部５ｄを使用者が摘まむことで各調整ネジ５ｃ，５ｃを水平方向に回動させ、挟持片５ｂを上下動させることで膳板３を上下方向から挟持することができるようになっている。尚、膳板３を挟持片５ａ，５ｂによって挟持する際には、挟持片５ｂと膳板３との間でゴム板５ｅ等の高摩擦材を挟持させ、手置き台１を膳板３から脱落しないように、下方から挟持片５ｂ及びゴム板５ｅを介し膳板３に螺挿したビス５ｈにより固定するとよい。更に尚、挟持片５ｂ及びゴム板５ｅの前端部を、挟持片５ａの前端部よりも後方に位置するように形成することで、膳板３下面に配置される灰皿載置部（図示略）の底部との干渉を回避できる。【００２０】  支持部５の後端部には、手置き台１の後方に向けて本発明の一対の係合部の一方を構成する係合突部５ｆが突設されており、この係合突部５ｆの下方には、支持部５の後方と内部とを連通させる連通孔５ｇが形成されている。この連通孔５ｇには、回動軸８が挿通されている。この回動軸８の前端部は、連通孔５ｇの直径よりも長寸に形成されており、支持部５内に配置されている。また、回動軸８には、支持部５内で本発明における弾性体としてのコイルバネ９が挿通されている。このため、コイルバネ９は支持部５の後端部と回動軸８の前端部との間に配置され、回動軸８の前端部を前方に向けて付勢している。【００２１】  図２及び図４（ａ）に示されるように、本体部６の前端部には、本体部６の前方と内部とを連通させる連通孔６ａが形成されている。この連通孔６ａには、回動軸８が前方側から挿通されており、回動軸８の後端部は、本体部６の後端部において回動自在に保持されている。このため、本体部６は、支持部５に対して回動軸周りに回動自在に枢支されているとともに、回動軸８とともに前方に向けて付勢されている。【００２２】  また、本体部６の前端部における回動軸８の上方には、係合突部５ｆに嵌合可能な直径を有する係合孔６ｂが形成されており、図４（ａ）に示されるように、本体部６の回動軸８の左側方には、係合孔６ｂと同寸の直径を有する係合孔６ｃが形成されている。これら係合孔６ｂ，６ｃは、回動軸８を中心とする同一の同心円の円周上に配置され、本発明における一対の係合部の他方を構成している。尚、本体部６の上部には、載置部７の後述する調整軸７ａを挿通させるための柱体６ｄが設けられている。【００２３】  図１（ｂ）と図３（ａ），（ｂ）に示されるように、載置部７は、上下方向を向く円柱状の調整軸７ａと、調整軸７ａの上方に配設される基台７ｂと、基台７ｂ上に載置される軟質部７ｃとで構成されている。このうち調整軸７ａの周面には雄ネジ７ｄが形成されており、調整軸７ａは、雄ネジ７ｄに螺合する雌ネジ６ｅが形成された柱体６ｄに対して、水平方向に自在に回動可能に上方から螺挿されている。調整軸７ａの下端部は、調整軸７ａの水平方向への過回動によって調整軸７ａが柱体６ｄから脱落しないよう抜止７ｅが取り付けられた状態で本体部６内に配置されている（図２参照）。【００２４】  図３（ａ），（ｂ）に示されるように、調整軸７ａの上端部の略中央部には、上方に向けてバネ孔７ｆが形成されている。このバネ孔７ｆ内にはコイルバネ７ｇが配置されているとともに、コイルバネ７ｇの上方には、コイルバネ７ｇによって上方に向けて付勢されるボール体７ｈが、上半分をバネ孔７ｆ内から露出するように配置されている。また、図３（ｂ）に示されるように、調整軸７ａの上端部におけるバネ孔７ｆの両側方には、上方に向けてスライド突部７ｉ，７ｉが突設されている。【００２５】  基台７ｂは、内部が上方に開口する中空状に形成されている。基台７ｂの下端部の左右幅方向の略中央部には、基台７ｂの上下方向に貫通した調整孔７ｊが、前後方向に沿って複数孔形成されている。これら調整孔７ｊは、ボール体７ｈの上半分が嵌合可能な直径に形成されている。更に、基台７ｂの下端部における各調整孔７ｊの左右側部には、基台７ｂの前後方向に向けて上下方向を向く一対のスライド溝７ｋが貫通形成されている。【００２６】  調整軸７ａと基台７ｂとは、ボール体７ｈの上半分を、前後方向に沿って形成された複数孔の調整孔７ｊのいずれかに嵌合させるとともに、両スライド突部７ｉ，７ｉをスライド溝７ｋ，７ｋに挿通させ、スライド突部７ｉ，７ｉの上端部にスライド溝７ｋ，７ｋの幅寸法よりも長寸な直径を有するワッシャ等を介してネジを上方から螺着させることで互いに取り付けられている。尚、ボール体７ｈは、下方からコイルバネ７ｇによる付勢と調整孔７ｊ内への上半分の嵌合によって基台７ｂ及び軟質部７ｃの前後位置を固定している。【００２７】  軟質部７ｃは、基台７ｂの上面に載置されるクッション部７ｌと、クッション部７ｌとともに基台７ｂの側端部を被覆する外カバー７ｍとを備えている。これらクッション部７ｌ及び外カバー７ｍは、エラストマ等の軟質樹脂材によって形成されており、外カバー７ｍの上面は、使用者の腕Ｕを載置可能な載置面７ｎに構成されている（図１（ａ）及び図１（ｂ）参照）。このため、軟質部７ｃは、使用者の腕Ｕの形状に応じてクッション部７ｌ及び外カバー７ｍの形状を弾性変形させて使用者の腕Ｕを支持するようになっている。【００２８】  このように手置き台１を構成することで、図１（ａ）及び図１（ｂ）に示されるように、手置き台１は、係合突部５ｆが本体部６の係合孔６ｂに嵌合されているとともに、載置部７が膳板３の上方に配置された状態を使用位置とし、使用者の腕Ｕが載置面７ｎ上に載置されて使用される。【００２９】  尚、使用者は、手置き台１を使用する際に載置部７を調整軸７ａを中心に水平回動させることで調整軸７ａを柱体６ｄに対して上下動させ、載置面７ｎの膳板３の上面からの高さ位置をＬ１からＬ２（Ｌ２＞Ｌ１）までの間で任意に調整することが可能となっている。【００３０】  更に、使用者は、基台７ｂ及び軟質部７ｃに前後方向に向けて力を加えることで、調整孔７ｊ内に上半分が嵌合されたボール体７ｈを基台７ｂの底部によってバネ孔７ｆ内に押し込むとともに、基台７ｂと軟質部７ｃとをスライド溝７ｋ，７ｋに沿って前後にスライド移動させ、コイルバネ７ｇの付勢力によって前後方向で隣り合う調整孔７ｊ内にボール体７ｈの上半分を順次嵌合させていくことができる。【００３１】  このため、使用者は、軟質部７ｃの前後位置を、膳板３の後端面から前方に向けて距離Ｌ３だけ突設された状態から、後方に向けて、軟質部７ｃの前端面が膳板３の後端面よりも後方に位置する距離Ｌ４まで順次スライド移動させて、任意に調整することが可能となっている。尚、軟質部７ｃの前端部が膳板３の後端面よりも前方に向けて距離Ｌ３だけ突設された状態から後方に向けてＬ４だけ移動させられることで、軟質部７ｃの前端部と膳板３の後端面との間には前後幅Ｌ５の間隙Ｃが形成される（Ｌ５＝Ｌ４−Ｌ３）。つまり、軟質部７ｃ及び基台７ｂとは、本発明における当接回避位置に配置される。このように、載置面７ｎの上下位置及び前後位置を、それぞれ別個独立して任意に微調整することで、使用者は、自分の最も快適と感じる位置に載置面７ｎを任意に配置して手置き台１を使用することができる。【００３２】  次に、本体部６及び載置部７が前述の使用位置から、後述する使用者の腕Ｕを載置しない非使用位置に移動させる際の動作について説明する。先ず、図１（ａ）及び図１（ｂ）に示されるように、遊技場のスタッフ等が軟質部７ｃ及び基台７ｂに後方向きの力を加え、軟質部７ｃの前端部と膳板３との間に前後幅Ｌ５の間隙Ｃを形成する。この状態から、図２、図４（ａ）及び図４（ｂ）に示されるように、コイルバネ９の付勢力に抗して本体部６を後方に向けて引き出すことで係合突部５ｆと係合孔６ｂとの嵌合を一時的に解除させる。このとき、コイルバネ９は、回動軸８の前端部によって支持部５の後端部に向けて押圧されて付勢力（弾性力）を蓄える。【００３３】  そして、スタッフ等が本体部６に後方向きの力を加えた状態を維持しながら、本体部６を、回動軸８を中心に正面視で時計回りに９０度回動させる。このとき、本体部６に加えている後方向きの力を解除することで、コイルバネ９が回動軸８の前端部を前方側に付勢し、本体部６が前方側に引き戻される。同時に、係合突部５ｆが係合孔６ｃに嵌合され、本体部６及び載置部７は、使用者が腕Ｕを載置することのない非使用位置に配置される。尚、非使用位置では、係合突部５ｆが係合孔６ｃに嵌合されることで、本体部６及び載置部７の回動軸８を中心とする非使用位置からの回動が規制される。【００３４】  図４（ｂ）に示されるように、この非使用位置における本体部６及び載置部７は、パチンコ遊技機２の扉体２ａの下端よりも下方に配置される。このため、図５に示されるように、遊技場のスタッフ等がパチンコ遊技機２のメンテナンス等を行う際、扉体２ａは、パチンコ遊技機２の側端部に設けられた図示しないヒンジを軸として、本体部６及び載置部７に干渉しないように本体部６及び載置部７を回避して開放することができる。【００３５】  尚、本実施例における手置き台１は、本体部６及び載置部７が使用位置に配置された状態において、軟質部７ｃの前端部が膳板３の後端面よりも前方に向けて突設されていても非使用位置に移動させることができる。具体的には、スタッフ等が軟質部７ｃの前端部が膳板３の後端面よりも前方に向けて突設された状態から本体部６に後方向きの力を加え、本体部６を、回動軸８を中心に正面視で時計回りに回動させていく。【００３６】  ここで軟質部７ｃの前端部が膳板３の後端面よりも前方に位置した前後位置において本体部６を回動させていく場合、図６に示されるように、回動の途上で、軟質部７ｃの前端部が膳板３の後端上部に当接することになり、軟質部７ｃには膳板３の後端上部から上向きの反力が加わる。この上向きの反力によって、軟質部７ｃ及び基台７ｂは、調整軸７ａを中心に自由回動し（図示白抜き矢印参照）、膳板３の上方から退避して非使用位置に配置される。このとき、膳板３は軟質部７ｃと当接するため、膳板３と軟質部７ｃとの間の当接で生じる衝撃は、軟質部７ｃで吸収され、膳板３が傷つくことが防止されている。また、この状態で軟質部７ｃが上方に向けて突出している場合は、軟質部７ｃと基台７ｂとを調整軸７ａに対して下方に移動させることで扉体２ａを開放できるようにすればよい。【００３７】  非使用位置まで移動した本体部６及び載置部７を使用位置に戻すには、図４（ａ）及び図４（ｂ）に示されるように、スタッフ等が本体部６に後方向きの力を加えて係合突部５ｆの係合孔６ｃへの嵌合を解除させ、本体部６を正面視で反時計回りに回動させた後に本体部６に加えている後方向きの力を解除して係合突部５ｆを係合孔６ｂに嵌合させる。これら一連の動作によって本体部６及び載置部７が使用位置に移動するととも��、係合突部５ｆの係合孔６ｃへの嵌合により使用位置からの回動が規制される。【００３８】  また、本実施例における載置部７は、遊技場の宣伝やパチンコ遊技機２メーカー等の宣伝などの用途で種々の表示を施すようにしてもよい。具体的には、図７（ａ）及び図７（ｂ）に示されるように、軟質部７ｃを基台７ｂに載置される板状の基板部７ｏと、基板部７ｏの上部に設けられるクッション部７ｐと、透光性を有する軟質樹脂材から成る外カバー７ｒと、外カバー７ｒとクッション部７ｐ間に配置される広告表示部７ｑと、から主に構成する。【００３９】  基板部７ｏは、ステンレス等の金属材により構成されている。また、クッション部７ｐは、弾性を有するウレタンゲル等により構成されている。そして、広告表示部７ｑは、広告が印刷された表示面を上方に向けてクッション部７ｐの上面に載置され、外カバー７ｒがクッション部７ｐの上面に載置されることで、外カバー７ｒとクッション部７ｐ間に挟持される。【００４０】  すなわち、基板部７ｏとクッション部７ｐ、そして広告表示部７ｑは、透光性を有する外カバー７ｒによって被覆される。この外カバー７ｒは、基板部７ｏの周端縁部の下面まで被覆するとともに図示しないビス等の固定手段で固定されることによって、基板部７ｏとクッション部７ｐ、そして広告表示部７ｑを一体に囲繞している。基板部７ｏとクッション部７ｐ、そして広告表示部７ｑとは、外カバー７ｒによって一体的に囲繞されることで、基板部７ｏでのクッション部７ｐ及び広告表示部７ｑの載置位置がずれないように固定されている。尚、外カバーが基台の周端縁部の下面まで被覆して囲繞しても構わない。【００４１】  このように軟質部７ｃを構成することで、使用者は外カバー７ｒを介して広告表示部７ｑを視認可能となっている。また、本実施例ではクッション部７ｐと外カバー７ｒとの間で広告表示部７ｑを挟持しているが、例えばクッション部７ｐの上面にホログラム箔等を貼り付けることで、広告表示部８を演出することもできるし、あるいはクッション部を透光性を有する材料で構成するとともに、広告表示部を透光性を有する前記クッション部の下面に設けてもよい。【００４２】  以上、本実施例における手置き台１においては、本体部６は、載置面７ｎが腕Ｕを載置可能な使用位置と、開放状態のパチンコ遊技機２との干渉を回避可能な非使用位置と、の間を移動可能に支持部５に支持され、載置部７は、使用位置の本体部６に対し、載置面７ｎの上下位置を調整可能で且つ前後位置を調整可能に設けられているので、パチンコ遊技機２の使用者の腕Ｕを載置する載置部７を、使用者の好む上下位置且つ前後位置の使用位置に適宜調整することで、使用者が各々快適な状態でパチンコ遊技機２を使用できるばかりか、膳板３に固定された支持部５を取外すことなく本体部６を非使用位置に移動するだけで、パチンコ遊技機２を容易に開放状態とすることができるなど、パチンコ遊技機２の非使用状態において手置き台１との干渉無く各種の作業を手間をかけずに行うことができる。【００４３】  また、本体部６は、使用位置と非使用位置との間を回動可能に支持部５に枢支されているので、本体部６が支持部５に対し回動可能に枢支されるという簡易な��造で、開放状態のパチンコ遊技機２との干渉を避けるなど、パチンコ遊技機２の非使用状態における非使用位置に簡単に移動できる。【００４４】  また、載置部７は、本体部６に対し自在に回動可能に枢支されているので、本体部６を非使用位置に回動する際に、載置部７が膳板３と当接することがあっても、載置部７が本体部６に対し自在に回動することで、載置部７と膳板３との干渉無く本体部６を非使用位置まで回動できる。【００４５】  また、載置部７は、本体部６に対し螺挿により回動することで載置面７ｎの上下位置が調整されるので、載置部７を本体部６に対し螺挿により回動することで、載置面７ｎの上下位置を無段階に調整できる。【００４６】  また、載置部７は、使用位置において後方側に調整した前後位置が、非使用位置において膳板３との当接を回避する当接回避位置であるので、載置部７の前後位置を後方側に調整するだけで、後方に突設された膳板３と干渉すること無く、本体部６を非使用位置に回動できる。【００４７】  また、本体部６及び支持部５に、本体部６を使用位置若しくは非使用位置に保持する係合突部５ｆ及び係合孔６ｂ，６ｃが設けられているので、本体部６及び支持部５に設けられた係合突部５ｆ及び係合孔６ｂ，６ｃにより、本体部６を使用位置若しくは非使用位置に保持することで、所定位置の本体部６が動いてしまうことがない。【００４８】  また、本体部６と支持部５とは、コイルバネ９を介して互いに対し付勢されており、係合突部５ｆ及び係合孔６ｂ，６ｃは、コイルバネ９の弾性力により、本体部６の使用位置若しくは非使用位置において互いに係合するので、係合突部５ｆ及び係合孔６ｂ，６ｃが、コイルバネ９の弾性力を利用することで係合状態を恒常的に維持できる。【００４９】  以上、本発明の実施例を図面により説明してきたが、具体的な構成はこれら実施例に限られるものではなく、本発明の要旨を逸脱しない範囲における変更や追加があっても本発明に含まれる。【００５０】  例えば、前記実施例では、載置部７は本体部６に対し自在に回動可能に枢支されており、且つ、載置部７は本体部６に対し螺挿することで載置面７ｎの上下位置が調整可能に構成されているが、例えば載置部は、本体部に対し特段に螺挿されておらず自在に回動のみ可能に構成されていてもよく、このような構成に依れば、載置部と膳板との干渉無く本体部を非使用位置まで回動できる。【００５１】  また、前記実施例では、使用位置に配置されている本体部６と載置部７とを回動軸８を中心に回動させることで、本体部６と載置部７とを非使用位置に配置したが、本体部６を支持部５に対して左右側方若しくは下方にスライド移動可能に取り付け、本体部６を支持部５に対しスライド移動させることで本体部６と載置部７とを使用位置と非使用位置との間で移動できるようにしてもよい。【００５２】  また、前記実施例では、使用位置において係合突部５ｆと係合孔６ｂとを嵌合させ、非使用位置において係合突部５ｆと係合孔６ｃとを嵌合させることで本体部６と載置部７との回動軸８を中心とした回動を規制したが、係合孔６ｃを形成せず、本体部６と載置部７とが正面視で１８０度回動された位置を非使用位置として、この非使用位置において本体部６��載置部７とが回動軸８に吊持されるようにしてもよい。【００５３】  また、前記実施例では、基台７ｂ及び軟質部７ｃに前後方向に力を加えることで、使用者が腕Ｕを載置し易い前後位置に基台７ｂ及び軟質部７ｃをスライド移動できるようにしたが、基台７ｂの下面における前後方向の非中心位置と調整軸７ａの上端部とを固着し、基台及び軟質部を調整軸を中心に水平方向に回動させ、前記非中心位置回りに前後反転させることにより、載置面の前後位置を、前側位置と後側位置との２つの態様に変更できるようにしてもよい。
【符号の説明】
【００５４】１                手置き台
２                パチンコ遊技機（遊技機）
３                膳板
５                支持部
５ｆ              係合突部（係合部）
６                本体部
６ｂ，６ｃ        係合孔（係合部）
７                載置部
７ｎ              載置面
８                回動軸
９                コイルバネ（弾性体）
【図１】
2011194185.tif 000003
【図２】
2011194185.tif 000004
【図３】
2011194185.tif 000005
【図４】
2011194185.tif 000006
【図５】
2011194185.tif 000007
【図６】
2011194185.tif 000008
【図７】
2011194185.tif 000009